(57)【特許請求の範囲】
【請求項１】
モジュール式エンクロージャであって、パネル（２）からなるパーティション（１）であって、前記パネルは固定要素（１６、１７）を取り付けるための長手方向溝（３）を端部に備え、前記パーティションは少なくともドア（６）を取り付けるための空間を画定するパーティション（１）および前記パーティション（１）に挿入可能なドア（６）を備えるモジュール式エンクロージャであって、前記ドア（６）は、上部箱（７）、通路空間を区切り、閉鎖防水布（１０）を移動するための垂直ガイド（３０）を有する２つの垂直ポスト（９）を備え、前記閉鎖防水布（１０）は起動の駆動手段であるモータ手段に結合する巻き取りドラム（１１）に固定され、
−枠の前記垂直ポスト（９）は、前記パネル（２）の前記長手方向溝（３）に対向する長手方向チャンネル（１５）を備え、前記長手方向チャンネル（１５）は、前記固定要素（１６、１７）を収容する通路を画定する長手方向溝（３）と共に、前記ドアを取り付けるための空間を定め、前記固定要素（１６、１７）は、前記ドア（６）が前記前記ドアを取り付けるための空間を区切る前記パネル（２）に対して保持される位置と、前記ドア（６）が解放される位置との間で垂直に移動可能であり、
−前記巻き取りドラム（１１）の前記上部箱（７）および前記モータ手段は独立ユニットを形成し、前記ドアの前記垂直ポストに取り外し可能な方法で固定され、
前記ドア（６）を前記パーティション（１）に固定する前記固定要素（１６、１７）は、複数の連結部（１７）および対向する前記連結部（１７）の間に配置される可撓性ストリップ（１６）からなり、前記連結部（１７）は、前記ドアの対応する前記垂直ポスト（９）の長手方向チャンネル（１５）内、および、前記パネル（２）の長手方向溝（１８）または対応する前記パネル（２）の前記長手方向溝（３）に結合された第２の中間側面（１９）の長手方向溝（１８）内に収容されることを特徴とする、モジュール式エンクロージャ。
【請求項２】
請求項１に記載のモジュール式エンクロージャであって、前記第２の中間側面（１９）は前記長手方向溝（１８）の対向面上に、前記ドア（６）に隣接する前記パネル（２）の長手方向溝（３）に結合する長手方向附属物（２０）を有することを特徴とする、モジュール式エンクロージャ。
【請求項３】
請求項１に記載のモジュール式エンクロージャであって、前記上部箱（７）は、内部に前記閉鎖防水布（１０）を通すための溝（２３）を備え、前記溝（２３）の対向側に、前記閉鎖防水布（１０）に作用するシーリングガスケット（２４、２５）を備えることを特徴とする、モジュール式エンクロージャ。
【請求項４】
請求項３に記載のモジュール式エンクロージャであって、前記上部箱（７）は、２つの水平な側面（８ａおよび８ｂ）、どちらも取り外し可能な正面カバー（２２）および前面カバー（８ｃ）を備え、前記２つの水平な側面（８ａおよび８ｂ）、前記正面カバー（２２）および前記前面カバー（８ｃ）は、前記上部箱（７）の固定ブラケット（３７）によって前記ドア（６）の垂直ポスト（９）に結合され、前記閉鎖防水布（１０）の前記巻き取りドラム（１１）および前記モータ手段（１３）は前記固定ブラケット（３７）に取り付けられることを特徴とする、モジュール式エンクロージャ。
【請求項５】
請求項３に記載のモジュール式エンクロージャであって、前記閉鎖防水布（１０）は、−前記ドアが完全にまたは部分的に、任意に解放した位置で、下部端部に垂直に伸張した第１のおもり（２６）、−閉鎖位置において、上部区域で、前記シーリングガスケット（２４、２５）に作用し、上部を気密閉鎖する横隆起（２８）、および−横端部で、対応する前記ドアの対応する垂直ポスト（９）の中間ノッチ（３１）に取り付けられる前記垂直ガイド（３０）内部から移動可能である停止部（２９）の垂直列を有することを特徴とする、モジュール式エンクロージャ。
【請求項６】
請求項５に記載のモジュール式エンクロージャであって、前記巻き取りドラム（１１）は、前記閉鎖防水布（１０）を巻き取り中に、前記閉鎖防水布（１０）の前記横隆起（２８）を収容するための横溝（１４）を有することを特徴とする、モジュール式エンクロージャ。
【請求項７】
請求項５に記載のモジュール式エンクロージャであって、前記閉鎖防水布（１０）は前記下端部に、前記第１のおもり（２６）の下に、床に対する調整のために第２のおもり（２７）を有することを特徴とする、モジュール式エンクロージャ。
【請求項８】
請求項１に記載のモジュール式エンクロージャであって、前記ドアは、前記垂直ポスト（９）に取り付けられるエミッタ（３４）および光センサ（３５）を有する少なくとも１つの光電子障壁を備えることを特徴とする、モジュール式エンクロージャ。
【請求項９】
請求項１に記載のモジュール式エンクロージャであって、前記ドアの前記垂直ポスト（９）は、信号機の機能を有するＬＥＤタイプの光信号要素（４２）を備えることを特徴とする、モジュール式エンクロージャ。
【請求項１０】
請求項５に記載のモジュール式エンクロージャであって、前記垂直ポスト（９）は、ケーブルを通し、信号機の機能を有するＬＥＤタイプの光信号要素（４２）または前記光電子障壁を取り付けるための２つの端部ノッチ（３３）を前記中間ノッチ（３１）の側に画定することを特徴とする、モジュール式エンクロージャ。
【請求項１１】
請求項１に記載のモジュール式エンクロージャであって、前記ドアの前記垂直ポスト（９）は、支持および横固定用の部品（３６）上に配置され、床に固定されることを特徴とする、モジュール式エンクロージャ。
【請求項１２】
請求項１に記載のモジュール式エンクロージャであって、前記上部箱（７）用の固定ブラケット（３７）は、前記垂直側面（９）内部にケーブルを通すための長手方向溝または切り込み（３８）を備えることを特徴とする、モジュール式エンクロージャ。
【請求項１３】
請求項５に記載のモジュール式エンクロージャであって、前記垂直ガイド（３０）は、互いに対向する２つの対称な側面（３０ａ、３０ｂ）からなり、前記２つの対称な側面（３０ａ、３０ｂ）間に空間を生成し、前記停止部（２９）を有する前記閉鎖防水布（１０）の循環のための空間を生成し、および前記垂直ポスト（９）は前記２つの対称な側面（３０ａ、３０ｂ）から突出することによって、前記閉鎖防水布（１０）に対する正面衝撃に対して、前記停止部（２９）が前記垂直ガイド（３０）を抜け出ることができることを特徴とする、モジュール式エンクロージャ。
【請求項１４】
請求項１３に記載のモジュール式エンクロージャであって、前記２つの対称な側面（３０ａ、３０ｂ）は角ばった形状の出口チャンネルを有するため、前記閉鎖防水布（１０）が横切る空間が最小限となることを特徴とする、モジュール式エンクロージャ。
【請求項１５】
請求項４、または１２に記載のモジュール式エンクロージャであって、前記固定ブラケット（３７）は、前記上部箱（７）の側部を閉鎖する側部カバー（４０）のガイド手段、および前記側部カバー（４０）の固定ねじ（４１）を有することを特徴とする、モジュール式エンクロージャ。
【請求項１６】
請求項請求項１〜１５のいずれか一つに記載のモジュール式エンクロージャであって、前記垂直ポスト（９）は頂点に、前記上部箱（７）下部の上端であって、前記閉鎖防水布（１０）の通路の区域の側に、前記垂直ガイド（３０）から解放される場合に、前記閉鎖防水布（１０）を前記垂直ガイド（３０）内に戻すための回復装置（４３）を有することを特徴とする、モジュール式エンクロージャ。
【発明の詳細な説明】
【技術分野】
【０００１】
本発明は、モジュール式エンクロージャに関する。モジュール式エンクロージャは、パネルからなるパーティションを備え、パネルの端部には結合要素を取り付けるための長手方向の溝を備える。パーティションは少なくともドアを取り付けるための空間を画定する。モジュール式エンクロージャは、また、パーティションの空間に結合するドアを備える。ドアは、上部箱、および２つの垂直ポストを備える。２つの垂直ポストは、通路空間を区切り、閉鎖防水布を移動するための垂直ガイドを有する。閉鎖防水布は起動の駆動手段に結合する巻き取りドラムに上端で固定される。
【０００２】
本モジュール式エンクロージャは、研究室または加圧空間の構築、および好ましくは、内部分離の分野に適用可能である。
【背景技術】
【０００３】
建築分野では、基本的にパネルからなるモジュール式エンクロージャが一般的に用いられる。パネルは設定ごとに特定の要件に基づく様々な構成を有することもある。
【０００４】
これらのパネルは一般に、支持側面に取り付けられる。最新技術で既知であるのは、たとえば、垂直端部に溝を有するパネルの使用である。その溝を用いて、２つの長手方向連結部を対向面に有する垂直側面を結合する。この連結部は２つの連続パネルの溝に収容されるように適しており、連続パネルを結合し、整合する要素として機能する。
【０００５】
この種類のエンクロージャとして一般的なものとして、パネルの上端部および下端部を導入するためにＵ型のガイドを床面およびパーティションの一部に設置することである。
【０００６】
この種類のエンクロージャでは、ドアは通常はパネルの面の１つと同一平面で隣接するように配置される。ドアの垂直ポストは通路空間を区切る。
【０００７】
この種類の取り付けの技術的問題は、中間パネルの１つが破裂するか、または劣化した場合、そのパネルを交換するためにパーティションの端部の１つから、破壊したパネルに到達するまで、連続したパネル全体を分解する必要があることである。
【０００８】
これらのエンクロージャの別の欠点は、早開きドアが、たとえば研究室など特定の施設に適用すべきである適切な気密性を持つ閉鎖を提供しないことである。
【０００９】
これらのエンクロージャの別の技術的問題は、ドアをパーティションに一体化することである。特にドアが早開きドアである場合は、閉鎖防水布が上端部で電動式巻き取りドラムと連結するため、これらのドアでは、ドラムの起動モータは枠の外側部分に配置されて、枠の横側に突出するためである。
【発明の概要】
【課題を解決するための手段】
【００１０】
本発明の目的であるモジュール式エンクロージャは、請求項１の前文に記載する種類であり、前述の技術的問題を解決するように設計される具体的な建築的特徴を有する。したがって本モジュール式エンクロージャは、ドアを正面方向に迅速かつ簡潔な方法で取り付け、および分解することができ、パーティションに隣接するパネルを分解する必要がない、具体的な建築的特徴を提示する。
【００１１】
本発明の別の目的は、早開きドアであるドアをパーティションに一体化することを促進し、エンクロージャが用いられる用途の種類を考慮してドアの気密閉鎖を実現することである。
【００１２】
本発明の別の目的は、ドアが閉鎖されているときに、特に、研究室でよくあるように、ドアが区切るエンクロージャの１つが加圧されている場合に、閉鎖防水布の周囲の気密性を実現することである。
【００１３】
本発明の別の目的は、枠内にケーブルを通し、ドアの取り付けまたは修理作業中に、様々な要素にアクセスするための適切な手段を有するドアを提供することである。
【００１４】
本発明によれば、枠の垂直ポストは、パネルの長手方向溝に面する長手方向チャンネルを備える。パネルはドアの取り付け空間を区切る。長手方向溝は、固定要素を収容する通路を画定する。固定要素は、ドアがパーティションに対して保持される位置と、ドアが解放される位置との間を垂直に移動可能である。
【００１５】
この特徴によって、ドアをパーティションの空間から、正面から取り外すことができる。パーティションのパネルを分解または移動する必要はなく、単に固定要素を分解位置に向かって移動するだけでよい。
【００１６】
ドアの取り付けおよび修理を単純化する本発明の別の特徴は、巻き取りドラムの上部箱および駆動手段が独立ユニットを形成することであり、ドアの垂直ポストに取り外し可能な方法で固定される。
【００１７】
本発明によれば、前述のドラムは回転運動の伝達手段によってモータ要素に結合される。モータ要素はドラム下部であって、枠の垂直ポストの間に備えられる空間に配置される。
【００１８】
このように、モータ要素およびモータ要素を制御する電子パネルは、ドアから横に突出しないため、パーティションを取り付ける空間にドアを一体化しやすくなる。
【００１９】
閉鎖位置において周囲の気密性を実現する目的で、上部箱はその下部に閉鎖防水布を通すための溝を備え、溝の対向側には、閉鎖防水布に作用するシーリングガスケットを備える。同様に、防水布は横隆起を上部区域に備える。横隆起は、ドアの閉鎖位置では、シーリングガスケットに作用し、上部閉鎖の気密性を確保する。
【００２０】
床と接触する区域の気密性を保証するために、閉鎖防水布は、完全または部分的に解放した任意の位置において、下端部に垂直に伸張した第１のおもり、および第１のおもり下部に、床に対する調整のために第２のおもりを有する。
【００２１】
横方向の気密性を保証するために、閉鎖防水布は、横端部に垂直列を備える。垂直列は停止部を備え、停止部はガイド内で移動可能である。ガイドはドアの対応する垂直ポストの中間ノッチに取り付けられる。閉鎖防水布の大きさは、正面圧力または推進力を受けない場合に、停止部が垂直ガイド内部で緩んで配置され、ガイド内部をガイドに対して大きな摩擦を受けずに移動可能であり、ドアが閉鎖されて防水布が正面圧力または推進力を受ける場合に、停止部はガイド内面に作用し、防水布は圧力の影響で湾曲し、前述の垂直ガイドに対して横方向の気密閉鎖を実現するような大きさである。
【００２２】
本発明の特徴は、添付請求項に規定され、添付図に示す実施例を参照することによって、より理解しやすい。
【図面の簡単な説明】
【００２３】
ここでの説明の補足として、また本発明の側面を理解しやすくするため、本明細書は図面一式を備え、非制限的に以下を例示して表す。
【００２４】
【図１】本発明によるモジュール式閉鎖の好ましい実施形態の上面図を、水平面の断面で示す。図中、通行のためのドアが組み込まれ、上部箱は部分的に断面で示され、側部カバーの１つは取り外されている。
【図２】ドアの好ましい実施形態の正面図を示す。本事例では電動式早開きドアである。
【図３】ドアの垂直ポストの１つの上部分解組立平面図を示す。図中、垂直ポストを第２の中間側面を用いて隣接するパネルに固定する固定要素の１つを見ることができる。
【図４】パーティションのドアの固定要素の取付部に以前に結合していた図３の要素の斜視図を示す。
【図５】完全に取り付けられた図３および４の要素の上部平面図を示す。図中、ドアの垂直ポストに対する防水布の端部の１つの取付部、および該当区域の拡大詳細図を見ることができる。
【図６】ドアの上部部分の側面図の垂直断面図、および閉鎖防水布の拡大詳細図を示す。
【図７】ドアの上端部の１つの分解組立詳細図の斜視図を示す。図中、カバーの１つおよび上部箱の固定ブラケットの１つを見ることができる。ブラケットはケーブルを通す溝を有する。
【図８Ａ】ドアの平面図を垂直断面図で示す。図中、閉鎖防水布は側圧のない位置で示される。
【図８Ｂ】ドアの平面図を垂直断面図で示す。図中、閉鎖防水布は側圧を受ける位置で示される。
【発明を実施するための形態】
【００２５】
図１で示す実施例から分かるように、本モジュール式エンクロージャは、長手方向溝（３）を端部に備えるパネル（２）からなるパーティション（１）を備える。溝は第１の側面（４）を取り付けるためのものであり、第１の側面（４）は連続パネル（２）の長手方向溝（３）に結合するための連結部（５）を対向面に有する。
【００２６】
本エンクロージャは、パーティション（１）の空間に挿入可能なドア（６）を備える。パーティション（１）は、上部箱（７）および２つの垂直ポスト（９）を備える。２つの垂直ポスト（９）は通路空間を区切り、閉鎖防水布（１０）の移動のために垂直ガイド（３０）を有する。
【００２７】
図２では、閉鎖要素（１０）は可撓性防水布からなり、その上端部によって巻き取りドラム（１１）に固定される。巻き取りドラム（１１）は伝達手段（１２）によってモータ（１３）に結合される。モータ（１３）は、上記ドラム（１１）下部の平面内であって、ドアの垂直ポスト（９）の間に設けられる空間内に配置される。それによってモータは垂直ポスト（９）から横方向に突出しない。
【００２８】
図３および４では、枠の垂直ポスト（９）それぞれは、パーティション（１）に隣接するパネル（２）の長手方向溝（３）に対向する長手方向のチャンネル（１５）を備える。エンクロージャはドアからパーティションまでの固定要素を備え、取付位置と分解位置との間の垂直運動が可能となる。
【００２９】
固定要素は可撓性ストリップ（１６）からなり、連結部（１７）の対向側に設けられ、ドアの対応する垂直ポスト（９）の長手方向チャンネル（１５）内に収容され、隣接するパネル（２）に結合する第２の中間側面（１９）の長手方向溝（１８）内に収容される。
【００３０】
前述の第２の中間側面（１９）は、長手方向溝（１８）のキャリヤの対向面にあり、隣接するパネル（２）の長手方向溝（３）に結合する長手方向取付部（２０）を有する。
【００３１】
前述の固定要素はドアの上部部分から垂直に挿入および取り外し可能であり、取付および分解位置を通じて、パーティション（１）に対するドア（６）の保持および解放を可能にする。
【００３２】
図６および７から分かるように、上部箱（７）は水平な側面（８ａおよび８ｂ）、取り外し可能な正面カバー（２２）、および同様に取り外し可能な前面カバー（８ｃ）からなり、すべてが固定ブラケット（３７）によって連結される。閉鎖要素（１０）の巻き取りドラム（１１）および駆動モータ（１３）は連結される。
【００３３】
図６から分かるように、ドアの水平な側面（８ａおよび８ｂ）はレール（２１）を有し、その内部では、ブラケット（３７）を固定し、上部箱（７）が形成可能となる。
【００３４】
前面カバー（８ｃ）は上部箱（７）の水平な側面（８ｂ）と共に、閉鎖要素（１０）の通路の溝（２３）を画定する。
【００３５】
前述の前面カバー（８ｃ）は上部箱（７）の水平な側面（８ｂ）と共に、シーリングガスケット（２４、２５）を前述の溝（２３）の対向側に有する。シーリングガスケット（２４、２５）は図６から分かるように、閉鎖要素（１０）の対向側に作用し、枠の上部区域のドアの気密閉鎖を保証する。
【００３６】
図示する実施例では、要素（１０）は、ドアの通路空間の解放位置および閉鎖位置の間で垂直に移動可能である。図６から分かるように、要素（１０）は、垂直に伸張した第１のおもり（２６）を下端に有し、第１のおもり（２６）の下に、床に対する調整のために第２のおもり（２７）を有する。第２のおもりは閉鎖防水布（１０）に熱接着された防水布のループによって固定される。
【００３７】
閉鎖防水布（１０）は横隆起（２８）を上部区域に有する。横隆起（２８）は図６に示す閉鎖位置ではシーリングガスケット（２４、２５）に作用し、確実に上部を気密閉鎖する。
【００３８】
横隆起（２８）が防水布（１０）の正確な巻き取りを妨げないように、ドラム（１１）は横隆起（２８）を収容するための横溝（１４）を有する。
【００３９】
図５では、閉鎖防水布（１０）は横端部に垂直列を有する。垂直列は停止部（２９）を備え、停止部（２９）はガイド（３０）内部を通って移動可能である。ガイド（３０）はドア（６）の対応する垂直ポスト（９）の中間ノッチ（３１）に取り付けられる。
【００４０】
図５では、停止部（２９）は閉鎖防水布（１０）の対向側に半分ずつ配置され、互いにねじで固定される。
【００４１】
ガイド（３０）および中間ノッチ（３１）は、図３の分解組立図から、さらに詳細にわかる。
【００４２】
図１の実施例では、ドアは、垂直ポスト（９）に取り付けられるエミッタ（３４）および光センサ（３５）を有する少なくとも１つの光電子障壁を備える。
【００４３】
図１および６では、ドアの垂直ポスト（９）は、信号機の機能を有するＬＥＤタイプの光信号要素（４２）を備える。
【００４４】
垂直ポスト（９）は、図１および５に示すように、ケーブルを通し、様々な要素を取り付けるための２つの端部ノッチ（３３）を中間ノッチ（３１）側に画定する。様々な要素には、エミッタ（３４）および光電子障壁の光センサ（３５）または前述の光信号要素（４２）が含まれる。
【００４５】
ドア枠の垂直ポスト（９）は、図５に示すように、支持および横固定用の部品（３６）上に配置され、床に固定される。
【００４６】
図７から分かるように、上部箱（７）はドア枠の垂直ポスト（９）に、図１および７に示すねじ（３９）によって固定される固定ブラケット（３７）を備える。
【００４７】
固定ブラケット（３７）は、上部箱（７）の水平な側面（８ａ、８ｂ）、前面カバー（８ｃ）および正面カバー（２２）を支持し、ドアの垂直ポスト（９）内部にケーブルを通すための長手方向溝または切り込み（３８）を備える。
【００４８】
固定ブラケット（３７）はガイド手段を上部および下部区域に有する。ガイド手段は、側部カバー（４０）上に配置される不図示のワッシャを備えるねじで表される。側部カバー（４０）はアセンブリを閉鎖する。ガイド手段は、上部箱（７）の内部から、図６に図示するねじ（４１）によって固定され、固定ブラケット（３７）の中間点に配置される。それによって、カバー（４０）はドア（６）の開口および閉鎖サイクルにおいて移動可能となる。
【００４９】
図１および図５の拡大詳細図から分かるように、閉鎖防水布（１０）はガイド（３０）内部を通って移動する。ガイド（３０）は２つの対称な側面（３０ａおよび３０ｂ）から形成され、防水布（１０）の停止部（２９）の循環のための空間を区切る。
【００５０】
ガイド（３０）はそれぞれの垂直ポスト（９）から突出し、衝撃時には、停止部（２９）がガイド（３０）から抜け出て、防水布（１０）を解放できる。
【００５１】
対称なガイド（３０）の側面（３０ａ、３０ｂ）は角ばった形状の出口チャンネルを有するため、閉鎖防水布（１０）が横切る空間が最小限となる。
【００５２】
防水布（１０）の大きさは、正面推進力を受けない場合は、図８ａから分かるように、停止部（２９）が垂直ガイド（３０）内部で緩んだ形状に配置され、ガイド内部を通って長手方向に大きな摩擦を受けずに移動可能となるような大きさである。
【００５３】
ドアが閉鎖され、防水布（１０）が正面圧力または推進力を受ける場合は、図８ｂから分かるように、停止部（２９）はガイド（３０）内面に対して作用し、防水布（１０）は圧力の影響で湾曲し、前述の垂直ガイド（３０）に対して横方向に気密閉鎖する。特に、湾曲した閉鎖防水布（１０）の方向に応じて、対称な側面（３０ａ、３０ｂ）のうちの１つに対して横方向に気密閉鎖し、ドア（６）の１つの側部から別の側部に対する空気の流れを最小限にする。
【００５４】
図６に示す実施例では、垂直ポスト（９）は、頂点に、上部箱（７）下部の上端であって防水布の通路の区域の側に回復装置（４３）を有する。停止部（２９）が長手方向ガイド（３０）から防水布（１０）に対する衝突または正面衝撃の結果として解放された場合には、垂直ポスト（９）は、防水布（１０）の上方への移動中に停止部（２９）を長手方向ガイド（３０）内部に戻す。
【００５５】
本発明の性質を十分に記載してきたが、好ましい実施形態の実施例に加えて、関連する目的のために、前述の要素の素材、形状、大きさおよび配置は修正されてもよいことをここに述べる。ただし、そのような修正は以下に請求される本発明の基本的な特徴を変更することを示唆するものではない。
【図１】
0006429053.tif 000002
【図２】
0006429053.tif 000003
【図３】
0006429053.tif 000004
【図４】
0006429053.tif 000005
【図５】
0006429053.tif 000006
【図６】
0006429053.tif 000007
【図７】
0006429053.tif 000008
【図８ａ】
0006429053.tif 000009
【図８ｂ】
0006429053.tif 000010